(57)【要約】【課題】従来の監視システムは、監視カメラも監視映像も固定式のものが多く、高い費用を支払い、セキュリテイ会社に監視業務を委託する場合が多かった。しかも、委託する本人は、直接映像による監視はできず、特に部屋の中に入るときなどは、内部の安全確認ができず犯罪に巻き込まれる可能性も強かった。【解決手段】このシステムは携帯電話をキーステーションにしたものである。センサー付きの携帯電話子機から、センサーが感知したら自動的に携帯電話親機に、生映像と音声を送致し、親電話で状況の確認が出来ると同時に、ビデヲとして保存することが出来る。また、携帯電話親機から、携帯電話子機に警報の指図が出来るようにシステム化する。以上から成り立つ携帯電話機をキーステーションとした防犯防災監視機能付き携帯電話システムである。【選択図】なし【特許請求の範囲】
【請求項１】
１  以下の機能を有する携帯電話子機
▲１▼センサーの起動により、人の操作を必要としないで映像や音声、または映像と音声を自動的に、携帯電話親機に送信できる機能
▲２▼センサーの起動原因の種別を携帯電話親機に送信できる機能
▲３▼携帯電話親機と送受信できる機能
２  以下の機能を有する携帯電話親機
▲１▼人の操作を必要としないで▲１▼の携帯電話子機から送信された映像や音声を自動的に記録できる機能
▲２▼１の子機から送信されたセンサーの起動原因を表示できる機能
▲３▼携帯電話子機からの映像を生受信できる機能
▲４▼通常の携帯電話機能（映像音声の送受信）
以上の１と２の機能を有する携帯電話器で構成される防犯防災監視機能付き携帯電話システム
【請求項２】
上記２の携帯電話親機、または上記１の携帯電話子機からの指示により、音声または光、もしくは光と音声を発する警報機がシステム上に組み入れられている請求項第一項記載の防犯防災監視機能付き携帯電話システム
【請求項３】
１の携帯電話子機のセンサーは、音声、熱、煙、動体を感知することが出来る請求項１記載、及び請求項２記載の防犯防災監視機能付き携帯電話システム
【発明の詳細な説明】
【技術分野】
【０００１】  本発明は、携帯電話機を利用した防犯防災安心管理システムに関するものである。
【背景技術】
【０００２】  従来のシステムは固定式の防犯監視装置で専門的な企業が委託を受け防犯安全管理を行っている。
【発明の開示】
【発明が解決しようとする課題】
【０００３】  従来の防犯システムは大掛かりな装置及び組織が必要であった。
このため一般家庭であっても防犯システム専門の企業に高価な対価を払って防犯安全の管理を委託している。しかしながら防犯システムが機能しても犯罪の方がスピードアップしており、被害を出すケースも多く見られた。また、当該所有者や管理者がどこからでも随時状況把握し、その状況に対する行動が出来なかった。【０００４】  この防犯防災監視機能付き携帯電話システムは、手短に常時携帯している携帯電話機を利用していることを特徴している。どこからでも、いつでも、所有者や管理者が直接自分の目で該当場所の把握をすることができる。そして自分で即座に遠隔地から防犯、安全、安心に対する行動を起こすことができる。
また自分のマンションに入る時には、ドアーを開ける前に内部を確認することが出来、犯罪に巻き込まれることから防ぐことが出来る。【０００５】  もう一つの特徴は携帯電話子機からの映像を遠く離れたところで、ビデオとして記録することができるために、犯罪の抑止機能を発揮することができる。【０００６】  また携帯電話機がメインのシステムであり、システムの維持管理費が安価で機敏性に富んでいる。【０００７】  本発明は、普及している携帯電話をキーステーションに、簡単且つ迅速に防犯、防災、安全、安心に対応できる管理システムを構築することを目的とするものである。
【課題を解決するための手段】
【０００８】  本発明は上記目的を達成するため、下記の▲１▼と▲２▼の機器、もしくは▲１▼▲２▼▲３▼の機器が構成するシステムにより成り立つ。【０００９】▲１▼下記の装置を有する携帯電話子機
ア、各種センサーの起動により、人の操作なしで映像や音声、または映像と音声を自動    的に、この携帯電話子機の親機に自動送信できる装置。
イ、センサーの起動原因を携帯電話親機に送信できる機能を有する装置
ウ、携帯電話親機からの指令を受け、指令を実施できる装置【００１０】▲２▼下記の機能を有する携帯電話親機
ア、自動的に携帯電話子機からの映像や音声、または映像と音声を記録する装置
イ、通常の携帯電話機の機能（音声、映像などの送発信）を備えた装置
ウ、携帯電話機子機からの自動的に送付された生映像を受信する装置
エ、子機から送付されたセンサーの起動原因を表示できる装置
オ、携帯電話子機に指令を発することができる装置【０００１】▲３▼下記の機能、及び形態を有する警告機
上記▲２▼の携帯電話親機、または上記▲１▼子機からの指令で音声、光、または音声及び光を発することができる機能を有する装置【００１１】  先ず携帯電話子機のセンサーが感知すると自動的に携帯電話子機のスイッチが入り、携帯電話親機に、生映像を送信する。
一方送付された映像は携帯電話親機のビデオ機能で保存される。【００１２】  そして携帯電話子機からの映像を携帯電話親機で見ることにより、危険が確認された場合、警告機により声や光、及び音声と光により警告を発し威嚇することができる。また携帯電話子機から直接警告機への短絡回路のあらかじめ設定することも出来る。【００１３】  携帯電話子機はカムフラージュすることにより侵入者などから隠すこともできる。さらに、レンズ機能のズーム化や首フリ機能も併せ持つことも可能である。また同じようなダミーの監視カメラも設置し映写の妨害を防ぐこともできる。【００１４】  警告機は単数または複数個設置、屋外、屋内に置くこともできる。警告機を屋内、屋外に設置することにより、加害者に心理的に圧迫できると同時に、警告機周辺にいる第三者に知らせることができる。
【発明の効果】
【００１５】システム上にこれら携帯電話親機、携帯電話子機、警告機を組み込むことにより
▲１▼  いつでもどこからでも目的とする箇所の状況把握ができる。
▲２▼  子機からのセンサー起動の原因情報をいち早く知ることが出来、判断対応が迅速に出来る。映像や音だけでは判断が困難の場合もあり、原因を分かりやすくする。
▲３▼  同時に携帯電話親機からの指令により音、光、音と光によって、状況に対して即座に対応することができるため、防犯効果を格段にあげることが出来る。【００１６】  ▲４▼  把握された映像は離れたところで保存ができ、証拠隠滅が困難となるため、犯罪抑止効果が期待できる。
▲５▼  設置費及び維持管理費が、従来より安価なため普及しやすい。【００１７】  ▲６▼  携帯電話機に新たな機能を付加により、携帯電話機を利用する人が多くなり携帯電話機関連企業の利益を増加することが出来る。
▲７▼  近所と、この発明を介在した連携プレーをすることが可能性であり、近隣関係を巻き込んで犯罪抑止効果をあげることが出来る。
【発明を実施するための最良の形態】
【００１８】  本発明は携帯電話の機能の新しい分野に関すものであり、携帯電話親機は設定された特定の携帯電話子機からの発信を自動的に生受信できる機能と、これを録画する機能を持つ。【００１９】  したがって、通常の携帯電話機と異なる点は、子機から送信されたリアル映像を自動的に受信し、親機で見ることが出来ると同時に自動録画装置に録画する点にある。
また、センサーの起動原因を把握により対応が迅速に正確に出来る。【００２０】  携帯電話親機で映像を見ることにより、必要応じて警報機のスイッチを携帯電話親機から入れることが出来、光、音響（音声）または光と音声により威嚇することができる。【００２１】  以上のように安価で、しかも、どこからでも、必要な場所の管理が携帯電話機を通じて出来ることを特徴としている。